(57)【特許請求の範囲】
【請求項１】
アモルファス鉄心と、このアモルファス鉄心が挿入される複数のコイルと、前記コイルを相互に隣接させて該コイルと前記アモルファス鉄心とを組み付ける固定枠金具とを具備する変圧器において、
前記隣接するコイル間に介在する板状のコイル間部材と、
前記複数のコイルが並ぶ方向に広がる平面を有し、該複数のコイルを軸方向に固定する位置決め部材と、を備え、
前記固定枠金具は、前記複数のコイルのうち外周側に配置されたコイルの外周面に沿うように配置され、かつ前記板状のコイル間部材と略平行な方向に広がる平面を有する板状のコイル押え金具を含み、
前記位置決め部材は、前記板状のコイル押え金具及び前記板状のコイル間部材と略垂直な方向に広がる平面を有し、かつ複数のコイル間に介在する複数の前記板状のコイル間部材を凹凸係合により固定したことを特徴とするアモルファス鉄心変圧器。
【請求項２】
アモルファス鉄心と、このアモルファス鉄心が挿入される略楕円形状をした複数のコイルと、前記コイルを相互に隣接させて該コイルと前記アモルファス鉄心とを組み付ける固定枠金具とを具備する変圧器において、
前記コイル間に介在し、前記略楕円形状のコイルの外形に沿った形状のコイル間部材と、
前記複数のコイルが並ぶ方向に広がる平面を有し、該複数のコイルを軸方向に固定する位置決め部材と、を備え、
前記固定枠金具は、前記複数のコイルのうち外周側に配置されたコイルの外周側に配置される板状のコイル押え金具を含み、
前記位置決め部材は、前記板状のコイル押え金具及び前記コイル間部材と略垂直な方向に広がる平面を有し、かつ複数のコイル間に介在する複数の前記板状のコイル間部材を凹凸係合により固定していることを特徴とするアモルファス鉄心変圧器。
【請求項３】
請求項２に記載のアモルファス鉄心変圧器であって、
前記コイルの内部に冷却用のダクトを備えていることを特徴とするアモルファス鉄心変圧器。
【発明の詳細な説明】
【技術分野】
【０００１】
本発明は、アモルファス鉄心と、このアモルファス鉄心が挿入される複数のコイルとを具備する変圧器に関し、特に、そのコイル構造に関するものである。
【背景技術】
【０００２】
一般に変圧器においては、短絡時の電磁機械力によって、自身のコイルの内側のコイルとその外側のコイルが互いに反発するような振動をすることが知られている。その影響として、例えば、ボビンが内側へ座屈したり、内側のコイルと外側のコイルとの間に隙間ができたりすることがある。このようにして、変圧器においては、これらの電磁機械力によるコイルへの影響として、変動、変位などが生じることは問題とされていた。またこのコイルの振動は、三相コイルなどの場合には、コイル間で位相差(例えば、１２０度）があることで、振動も時間的に異なる為、影響を与えあうことが知られている。このコイル相互間での振動の時間差、位相差によって、コイルの巻線に不測の力が加わり、また、変圧器自体への不測の力が加わることの影響を考慮する必要がある。
【０００３】
本技術分野の背景技術としては、特開平10-340815号公報（特許文献１）がある。この文献は、アモルファス磁性薄帯を多層に巻回したアモルファス巻鉄心と複数のコイルを具備するアモルファス巻鉄心変圧器において、コイルを構成する内側巻線及び外側巻線に対する座屈強度を確保して、アモルファス巻鉄心を圧迫せず、鉄損、励磁電流を悪化させないことを課題としている。解決手段としては、コイルの少なくとも１つは、巻鉄心材幅方向に複数配置した巻枠部材からなるコイル巻枠をコイル最内周に設け、また、最外アモルファス巻鉄心は、巻鉄心を囲み、かつ、巻鉄心が挿入されるコイルの外側を押圧する補強枠を有することが開示されている。
【０００４】
また、特開2010-118384号公報（特許文献２）がある。この文献は、変圧器においてコイルの内側巻線の座屈強度を確保し、鉄心への圧迫を防止することを目的として、鉄損や励磁電流を悪化させない変圧器用のコイル巻枠、及びそれを用いた変圧器を提供するものである。解決手段としては、鉄心は磁性帯を多層に巻回した巻鉄心又は多層に積み重ねた積鉄心から成り、コイルが鉄心に挿入されている。コイルの最内周に配置されているコイル巻枠は、外側に弓形に成形されていて、鉄心側である内側に凹む座屈に対する強度が向上されている。したがって、内側巻線に対する座屈強度が確保され、大容量変圧器においても、鉄心を圧迫することがなく、鉄損や励磁電流を悪化させることがないと記載されている。
【０００５】
また、実開昭54-126015号公報（特許文献３）がある。この文献は、静止誘導電器に係り、特に変圧器又はリアクトルの鉄心、巻線締付装置に関する。解決手段としては、鉄心と、この鉄心に巻回される巻線を絶縁媒体とともにタンクに収納される静止誘導電において、巻線の相間に挿入される高強度相間絶縁部材と、この絶縁部材と鉄心継鉄部を挟む締付金に設けられた座とを締付部材を介して係合させ緊締することにより鉄心継鉄部と巻線とを併せて締付けることを特徴とする静止誘導電器の鉄心及び巻線締付装置が記載されている。
【０００６】
また、特開昭55-16419号公報（特許文献４）がある。この文献は、例えば、短形断面の巻線を有する内鉄形変圧器に関するものである。解決手段としては、鉄心と、鉄心に巻装された巻線と、巻線部を収納する外箱からなる内鉄形変圧器において、巻線の周囲を絶縁部を介在させて外箱により支持したことを特徴とする内鉄形変圧器が記載されている。
【０００７】
また、実開平3-3719号公報（特許文献５）がある。この文献は、変圧器その他の電磁誘導機器に使用する電磁誘導巻線構造に関するものである。解決手段としては、相間スペーサを介して並設された各相の巻線の外周を、絶縁性の固定バンドで一括して緊締してなる電磁誘導機器が記載されている。
【０００８】
また、特開平8-222458号公報（特許文献６）がある。この文献は、リアクトル・変圧器等で、騒音・振動低減と小型・軽量を図るものに関する。解決手段としては、巻鉄心と複数のコイルで構成されるリアクトル変圧器において、巻鉄心とコイルが固定されているものにさらに、コイルとコイルを固定することで、巻鉄心の振動を抑制することが記載されている。
【０００９】
また、実用新案登録3063645号公報（特許文献７）がある。この文献は、非結晶鉄心の損壊を減少する変圧器の中心体固定構造の提供に関する。解決手段としては、コイルの内部の上端と下端に絶縁片、絶縁板構造が設けられ、且つ絶縁板の設置は交錯状態とされて環状に非結晶鉄心の周縁を被覆し並びに比較的高く突出し、絶縁板がコイルとケースの間に挟持されることによりコイルの巻かれた非結晶鉄心も間接的にその中に位置決めされ、非結晶鉄心の固定にコイルとケースの挟持力を必要とせず、非結晶鉄心の損害を防止するようにした、変圧器の中心体固定構造が記載されている。
【先行技術文献】
【特許文献】
【００１０】
【特許文献１】特開平10-340815号公報
【特許文献２】特開2010-118384号公報
【特許文献３】実開昭54-126015号公報
【特許文献４】特開昭55-16419号公報
【特許文献５】実開平3-3719号公報
【特許文献６】特開平8-222458号公報
【特許文献７】実用新案登録3063645号公報
【発明の概要】
【発明が解決しようとする課題】
【００１１】
変圧器は、高電圧・小電流の交流電力を低電圧・大電流の交流電力に、またその逆の変換を行う機器であり、磁気回路を構成する鉄心と電気回路を構成するコイルとを具備している。図９（Ａ）に従来のアモルファス鉄心変圧器のコイル８０３の断面図を示す。アモルファス鉄心８０２を用いた変圧器を製作する際、アモルファス薄帯は非常に薄く成形が難しいため幅が同寸法のアモルファス薄帯を積層し巻鉄心形状とすることが一般的である。そのためアモルファス鉄心８０２の断面形状は略矩形状となり、それに合せて矩形状のボビン８０５を用いるため、巻線作業時に内コイル８０７と矩形状ボビン８０５間の直線部に隙間８１０が生じることとなる。それにより、コイル寸法が設計値よりも大きくなることで組立不可となったり、変圧器組立完成後の短絡試験において、短絡時に発生する電磁機械力によって内コイル８０７と外コイル８０８間に反発が生じ、内コイル８０７と矩形状ボビン８０５間の隙間８１０に電線が落ち込むことで内コイル８０７と外コイル８０８間に隙間８１１が発生し短絡インピーダンスが増大したりする（図９（Ｂ））。
【００１２】
また、アモルファス鉄心を圧迫し、アモルファス鉄心に負荷がかかることで無負荷損失が悪化する。これにより規格値に入らず型式試験等で不合格となる場合がある。特に、短絡時の電磁機械力が大きくなる大容量機種においては、これらの問題から製作が困難であった。尚、コイルの電磁機械力とは，短絡時に同方向の電流を流す電線は相引合い，反対方向の電流を流す電線は相反発するという法則に従い作用する力である。
【００１３】
従来技術では、この隙間を低減させるためにプレス工程を設け、コイルの寸法出しを行っており作業工数増加の原因となっている。また、電線を強く巻回すことで隙間を低減させる方法があるが、強く巻回すことにより矩形状ボビンの角部で電線の絶縁被膜を破壊する可能性がある。そこで、本発明は、簡単な構成により、コイルの電線とボビン間の隙間を低減したコイルを備えたアモルファス鉄心変圧器を提供するものである。
【００１４】
このような変圧器において、鉄心の材料としては珪素鋼板やアモルファス磁性材を使用し、鉄心の構造としては巻鉄心とする巻鉄心変圧器においては、コイルが座屈により変形して巻鉄心を圧迫することを防止する技術が既に上記特許文献により開示されている。これ等の特許文献に開示される巻鉄心変圧器は、コイル自体の座屈に対して成された対策であり、三相変圧器などのように、コイルが複数あって、コイルが短絡時の電磁機械力によって、振動などする際に相互の影響を与えることについては記載されていない。
【００１５】
しかし、このコイルの振動は、三相コイルなどの場合には、コイル間で位相差(例えば、１２０度）があることで、振動も時間的に異なる為、影響を与えあうことが知られている。このようなコイル相互間での振動の時間差、位相差によって、コイルの巻線に不測の力が加わり、また、変圧器自体への不測の力が加わることの影響を考慮する必要がある。例えば、通常は隣り合うコイルが押えとなり、コイルの外側への変位を抑制しているが、振動の時間差があることでその機能が無くなるため、内側のコイルと外側のコイルとの間に隙間ができたりすることである。これらの電磁機械力によるコイルのへの影響として、変動、変位などが生じることは問題となる。
【００１６】
本発明は、上記課題に着目して成されたものであり、電磁機械力などに起因するコイルの変動、変位など効果的に抑制することができる変圧器を提供することを目的とする。
【課題を解決するための手段】
【００１７】
上記課題を解決するために、本発明のアモルファス鉄心変圧器は、アモルファス鉄心と、このアモルファス鉄心が挿入される複数のコイルと、前記コイルを相互に隣接させて該コイルと前記アモルファス鉄心とを組み付ける固定枠金具とを具備する変圧器において、前記隣接するコイル間に介在する板状のコイル間部材と、前記複数のコイルが並ぶ方向に広がる平面を有し、該複数のコイルを軸方向に固定する位置決め部材と、を備え、前記固定枠金具は、前記複数のコイルのうち外周側に配置されたコイルの外周面に沿うように配置され、かつ前記板状のコイル間部材と略平行な方向に広がる平面を有する板状のコイル押え金具を含み、前記位置決め部材は、前記板状のコイル押え金具及び前記板状のコイル間部材と略垂直な方向に広がる平面を有し、かつ複数のコイル間に介在する複数の前記板状のコイル間部材を凹凸係合により固定したことを特徴とする。
【００１８】
また、本発明のアモルファス鉄心変圧器は、アモルファス鉄心と、このアモルファス鉄心が挿入される略楕円形状をした複数のコイルと、前記コイルを相互に隣接させて該コイルと前記アモルファス鉄心とを組み付ける固定枠金具とを具備する変圧器において、前記コイル間に介在し、前記略楕円形状のコイルの外形に沿った形状のコイル間部材と、前記複数のコイルが並ぶ方向に広がる平面を有し、該複数のコイルを軸方向に固定する位置決め部材と、を備え、前記固定枠金具は、前記複数のコイルのうち外周側に配置されたコイルの外周側に配置される板状のコイル押え金具を含み、前記位置決め部材は、前記板状のコイル押え金具及び前記コイル間部材と略垂直な方向に広がる平面を有し、かつ複数のコイル間に介在する複数の前記板状のコイル間部材を凹凸係合により固定していることを特徴とする。
【００１９】
また、本発明のアモルファス鉄心変圧器は、前記アモルファス鉄心と前記コイルとの間に冷却用のダクトを備えていることを特徴とする。
【発明の効果】
【００２２】
本発明によれば、隣接する複数のコイルの間に位置してコイルの隙間を埋めるコイル間部材が配置され、このコイル間部材を上下又は前後から挟みつけて位置決め保持する位置決め部材を設けたので、コイルの変位、変動を抑制することができる。すなわち、例えば三相のコイルは、短絡時の電磁機械力によって、それぞれのコイルを構成する内側コイルと、外側コイルの変位の方向が反対向きに反発するように振動することが知られている。このコイルの振動は、三相コイルなどの場合は、コイル間で位相差（例えば、１２０度）であることで、振動も時間的に異なるため、互いに影響を与えあっている。例えば、ある瞬間においては隣接する一方のコイルが、自身の内側コイルと、外側コイルの反発によって、外側コイルが隣接する他方のコイルの方向に変位しようと振動するが、コイル間に介在するコイル間部材によってコイルの変位、変動を抑えることができる。
【図面の簡単な説明】
【００２３】
【図１】本発明の実施例１を示す変圧器の概略説明図である。
【図２】同上、固定枠金具を省略して位置決め部材を分解した斜視図である。
【図３】本発明の実施例２を示す固定枠金具を省略して位置決め部材を分解した斜視図である。
【図４】本発明の実施例３を示す変圧器の概略説明図である。
【図５】本発明の実施例４を示す変圧器の概略説明図である。
【図６】本発明の各実施例におけるコイルの拡大断面図である。
【図７】（Ａ）（Ｂ）コイルを楕円形状に近い形状で形成する別方法を示す説明図である。
【図８】（Ａ）（Ｂ）（Ｃ）コイルを楕円形状に近い形状で形成する別方法を示す説明図である。
【図９】（Ａ）（Ｂ）従来のアモルファス鉄心変圧器のコイル形状を示す断面図である。
【発明を実施するための形態】
【００２４】
以下、本発明の実施例を図面を用いて説明する。なお、本実施例の説明において、前後左右の方向は図１乃至図５を基準として定義する。（Ｘ正方向を右、Ｙ正方向を後、Ｚ正方向を上と定義する。）
【実施例１】
【００２５】
図１は、本発明の変圧器の構成を示す概略説明図である。図示するように本実施例の変圧器１００は、アモルファス鉄心１０１と、このアモルファス鉄心１０１に鎖交するように挿入されるコイル１０２と、これらを固定する固定枠金具１１０とで構成される。また、本実施例の変圧器１００は、三相のコイル１０２・・と、４個のアモルファス鉄心１０１・・（後側）を備えた三相五脚巻鉄心変圧器であり、これら三相のコイル１０２・・と、４個のアモルファス鉄心１０１・・（前側）が隣接して前記固定枠金具１１０に組み付けられている。
【００２６】
前記固定枠金具１１０は、アモルファス鉄心１０１の上部を覆う上締金具１０３と、コイル１０２を支持する下締金具１０４及びコイル１０２,１０２の両側を支持するコイル押え金具１０５とから成り、これら上締金具１０３, 下締金具１０４, コイル押え金具１０５を枠型に組んで前記固定枠金具１１０を構成している。また、隣接する複数のコイル１０２・・の間に位置してコイル１０２の隙間を埋めるコイル間部材１０６が配置されるとともに、このコイル間部材１０６を上下から挟みつけて、各コイル間部材１０６を位置決め保持する位置決め部材１０７を備えている。この位置決め部材１０７は各コイル１０２・・の上下に位置しており、それぞれ前後に分割した前記前側アモルファス鉄心１０１・・と後側アモルファス鉄心１０１・・との間に配置されている。なお、下側位置決め部材１０７は、図には見えていない。
【００２７】
図２は、図１から固定枠金具１１０を省略し、コイル間部材１０６と位置決め部材１０７の形状と相互の関係を分かり易く示した斜視図である。隣接するコイル１０２間に介在するコイル間部材１０６は、上辺及び下辺の一部を突出させて位置決め突部１０６ａを形成するとともに（図では、下辺の位置決め突部１０６ａは見えていない）、位置決め部材１０７には前記位置決め突部１０６ａを所定の位置に位置決めする位置決め溝部１０７ａを形成し、この位置決め突部１０６ａと位置決め溝部１０７ａを係合させることによって、コイル間部材１０６を上下の位置決め部材１０７によって位置決め保持している。
【００２８】
すなわち、上下の位置決め部材１０７は、Ｘ方向の長さが図１の上締金具１０３と下締金具１０４のＸ方向の長さと同じ長さに設定されており、上締金具１０３と下締金具１０４の両側に配置したコイル押え金具１０５によってＸ方向への変位が規制される。これにより、位置決め部材１０７によって位置決めされるコイル間部材１０６は、固定枠金具１１０内でのＸ方向への変位はない。このように、固定枠金具１１０に対して、位置決め保持したコイル間部材１０６を隣接するコイル１０２・・の間に介在させることによって、コイル１０２はコイル間部材１０６を越えて変形、変位することが無くなり（つまり、隣のコイルを変形させたり、変位させたりすることはない）、コイル１０２・・の形状を維持することができる。また、両側に位置するコイル１０２,１０２の両側にはコイル押え金具１０５が配置され、このコイル押え金具１０５によってＸ方向への変位が規制される。
【００２９】
また、一般にコイル１０２・・の軸方向（Ｚ方向）へのずれを抑える目的と、前後に分割したアモルファス鉄心１０１間の隙間を埋め、アモルファス鉄心１０１の振れを抑える目的として各コイル１０２・・の上下と接するようにコイル保持用の規制板が配置されているが、本実施例においては、その規制板としての機能を位置決め部材１０７によって兼用している。すなわち、コイル１０２・・の軸方向（Ｚ方向）へのずれを抑える目的と、前後に分割したアモルファス鉄心１０１間の隙間を埋め、アモルファス鉄心１０１の振れを抑える目的としても使用可能な位置決め部材１０７にコイル間部材１０６の位置決め突部１０６ａを位置決めする位置決め溝部１０７ａを形成するだけで、従来の機能を損なうことなく、コイル間部材１０６を固定する機能を追加することができる。
【００３０】
以上のように、隣接するコイル１０２，１０２間にコイル間部材１０６を介在させ、そのコイル間部材１０６の位置を位置決め部材１０７によって所定の位置に保持することによって、位置決め部材１０７によってコイル１０２の変位、変動を抑制することができる。
【００３１】
ここで、本発明の各実施例におけるコイルの拡大断面構成を説明しておく。すなわち、本発明の各実施例における三相のコイル３０２・・は図６（Ａ）（Ｂ）に示すように、内側コイル３０８と、外側コイル３０９で構成され、一般に、短絡時の電磁機械力によって、コイル１０２を構成する内側コイル３０８と、外側コイル３０９の変位の方向が反対向きに反発するように振動することが知られている（図９（Ｂ））。このコイル１０２の振動は、三相コイルなどの場合は、コイル間で位相差（例えば、１２０度）であることで、振動も時間的に異なるため、隣り合ったコイルが互いに影響を与えあっている。例えば、ある瞬間においてはＡのコイル１０２が、自身の内側コイル３０８と、外側コイル３０９の反発によって、外側コイル３０９がＢのコイル１０２の方向に変位しようと振動するが、また次の瞬間において、Ｂのコイル１０２が、自身の内側コイル３０８と、外側コイル３０９の反発によって、外側コイル３０９がＡのコイル１０２の方向に変位しようと振動する。したがって、コイル１０２間に介在するコイル間部材１０６が間隙無く強固に固定されていないと外側コイル３０９の振動に合わせて変位してしまう。しかし、これに対して、本発明では、コイル間部材１０６を位置決め部材１０７によって確実に位置決め保持することによって、コイル１０２の変位、変動を抑えるという機能を簡単な構成により発揮することができる。
【００３２】
なお、位置決め部材１０７とコイル間部材１０６は、短絡時の電磁機械力に耐えうる強度を有す材料である必要がある。また、絶縁性も考慮する必要があり、例えばベニア板やエポキシ板などの絶縁性を有する部材を使用するのが好ましいが、絶縁対策を確実に施せるのであれば、機械的な強度が高い鋼板等を使用することも可能であり、効果がある。また、コイル間部材１０６の形状は、平坦な板でも可能であるが、隣接するコイル１０２と接する部分を図６（Ａ）（Ｂ）に示すように、略楕円形状のコイル１０２の外形と合わせて、中央部に凹の湾曲部を有したコイル間部材３０６を形成することにより、コイル１０２とコイル間部材１０６との接触面積を大きくすることができるため、より効果的にコイル１０２の変形、変動を抑えることができる。
【００３３】
さらに、本発明の各実施例においては、図６（Ａ）（Ｂ）の拡大断面図に示すように、コイル１０２は、４個の鉄心３０１を配置した矩形ボビン３１０上に内側コイル３０８と外側コイル３０９を巻回して構成されるが、その際に、内側コイル３０８と矩形ボビン３１０間に生じる隙間の大きさを低減するために、矩形ボビン３１０の前後及び左右両側に４個の円弧状スペーサ３１１を配置するようにしている。これにより、矩形状ボビン３１１の角部はスペーサ３１１がガイドとなり、内側コイル３０８の１段目と矩形状ボビン３１０の当る部分の角度が緩くなる。また、スペーサ３１１の形状は円弧状に限らず、矩形ボビン３１０と内側コイル３０８のスペースを低減できる形状であれば、四角形、台形、階段状等でも可能である。また、コイル１０２の温度上昇を緩和するため、コイル温度上昇に応じた複数本の冷却ダクト５０９をコイル１０２の内部に設けることも可能である。このように、巻回して構成されるコイルを、矩形状ではなく楕円形状に近い形状とすることにより、コイルとボビンとの間に隙間ができるのを防ぐ効果を奏することができる。
【００３４】
このように、矩形ボビン３１０とコイル１０２との間にスペーサ３１１を介在することによって、短絡時の電磁機械力によって、内側コイル３０８と、外側コイル３０９間に働く反発力に対しても内側コイル３０８と矩形ボビン３１０間に隙間がない構造であるため、内側コイル３０８の落込むスペースが無く、短絡後の短絡インピーダンス変化率や無負荷損失の悪化率を低減することができる。
【００３５】
図６（Ａ）（Ｂ）に示す実施例に代えて、コイル１０２の内部に複数の冷却ダクトを配置することによりコイル１０２を楕円形状に近い形状で形成することも可能である。ここでは、他の方法により、コイル１０２を楕円形状に近い形状で形成する方法を幾つか説明しておく。
【００３６】
図７（Ａ）に示す方法は、アモルファス鉄心変圧器のコイル３０２断面図であって、アモルファス鉄心３０１の外側に円筒状のボビン３１０を設け、円筒状ボビン３１０に内コイル３０８、外コイル３０９を巻回す。円弧状スペーサ３１１は、矩形状アモルファス鉄心３０１と円筒状ボビン３１０の間に設け、断面形状が円形状のコイル３０２を形成する。
【００３７】
図７（Ｂ）に示す方法は、本発明によるアモルファス鉄心変圧器のコイル４０３断面図であって、アモルファス鉄心４０２の外側に矩形状のボビン４０５を設け、矩形状ボビン４０５に内コイル４０７、外コイル４０８を巻回す。円弧状スペーサ４０６は、一箇所につき２枚を貼り合せし、内コイル４０７と外コイル４０８の間に設け、断面形状が円形状のコイル４０３を形成する。
【００３８】
図８（Ａ）に示す方法は、本発明によるアモルファス鉄心変圧器のコイル５０３断面図であって、アモルファス鉄心５０２の外側に矩形状のボビン５０５を設け、矩形状ボビン５０５に内コイル５０７、外コイル５０８を巻回す。通常コイル５０３は温度上昇を緩和するため、コイル温度上昇に応じた本数の冷却ダクト５０９を設けている。本実施例では、内コイル５０７に設けている冷却ダクト５０９の挿入区間を、内側に設けた冷却ダクトの区間よりも、外側に設けた冷却ダクトの区間を同等以下とし、断面形状が円形状のコイル５０３を形成する。または、内コイル５０７に設けている冷却ダクト５０９’の挿入区間を、内側に設けた冷却ダクトの区間よりも、外側に設けた冷却ダクトの区間を同等以上とし、断面形状が円形状のコイル５０３を形成する。
【００３９】
図８（Ｂ）に示す方法は、本発明によるアモルファス鉄心変圧器のコイル６０３断面図であって、アモルファス鉄心６０２の外側に矩形状のボビン６０５を設け、矩形状ボビン６０５に内コイル６０７、外コイル６０８を巻回す。本実施例では、内コイル６０７に設けている冷却ダクト６０９の幅を、両端に設けた冷却ダクトの幅よりも、直線部中央に設けた冷却ダクトの幅の方を同等以上とし、断面形状が円形状のコイル６０３を形成する。
【００４０】
図８（Ｃ）に示す方法は、本発明によるアモルファス鉄心変圧器のコイル７０３断面図であって、アモルファス鉄心７０２の外側に矩形状のボビン７０５を設け、矩形状ボビン７０５に内コイル７０７、外コイル７０８を巻回す。本実施例では、内コイル７０７に設けている冷却ダクト７０９を直線部中央のみに設けることにより、断面形状が円形状のコイル７０３を形成する。
【実施例２】
【００４１】
図３は、本発明の実施例２を示す変圧器の構成を示す概略説明図である。前記実施例１では、コイル１０２の変形、変位を抑制するコイル間部材１０６を位置決め部材１０７で上下から挟み付けて位置決め保持した例を示したが、本実施例２では、位置決め部材４１１をコイル４０２の前後に配置している。すなわち、実施例１では、コイル１０２・・の軸方向（Ｚ方向）へのずれを抑える目的と、前後に分割したアモルファス鉄心１０１間の隙間を埋め、アモルファス鉄心１０１の振れを抑える規制板を位置決め部材１０７として利用したが、このような規制板が無い構成の変圧器もある。このような変圧器において、コイル保持部材４１１をコイル４０２の前後に配置し、このコイル保持部材４１１に形成する位置決め溝４１１ａに各コイル４０２の間に配置したコイル間部材４０６を係合させてコイル間部材１０６を位置決め保持している。これにより、前記実施例１と同様、位置決め部材４１１によってコイル４０２の変位、変動を抑制することができる。なお、図３において４０１はアモルファス鉄心である。
【実施例３】
【００４２】
また、変圧器の構成として３個のコイルと、４個のアモルファス鉄心を備えた三相五脚巻鉄心変圧器に限らず、図４に示す本発明の実施例３のように３個のコイル５０２・・・と三個のアモルファス鉄心５０１・・・を備えた三相三脚巻鉄心変圧器であってもよい。また、図４に示す実施例３におけるコイル間部材の位置決め構造は、図３の実施例２と同様、コイル保持部材５１１をコイル５０２の前後に配置し、このコイル保持部材５１１に形成する位置決め溝５１１ａにコイル間部材５０６を係合させてコイル間部材５０６を位置決め保持している。
【実施例４】
【００４３】
また、図５に示す本発明の実施例４のように、２個のコイル６０２・・と１個のアモルファス鉄心６０１・・を備えた単相変圧器であってもよい。また、図５に示す本発明の実施例４におけるコイル間部材の位置決め構造は、図２に示す実施例１と同じ構成である。すなわち、コイル保持部材６１１をコイル６０２の上下に配置し、このコイル保持部材６１１に形成する位置決め溝６１１ａにコイル間部材６０６に形成する位置決め突部６０６ａを係合させてコイル間部材５０６を位置決め保持している。
【００４４】
以上、本発明の実施例を詳述したが、本発明は前記各実施例に限定されるものではなく、本発明の要旨の範囲内で種々の変形実施が可能である。例えば、前記実施例１に示すスペーサや冷却ダクトを含む全て構成を備える必要はない。また、コイル間部材の位置決め部として位置決め部材にコイル間部材と嵌合する切り欠き状の位置決め溝を設けた例を示したが例えばフックなどの弾性を利用した構造や一対のレール間にコイル間部材を嵌合させる構造など適宜選定すればよい。さらに、実施例１の一部の構成を実施例２に構成に置換することも可能であり、また、ある実施例の構成に他の実施例の構成を加える、あるいは一部の構成を追加・置換・削除することも可能である。
【符号の説明】
【００４５】
１００  変圧器
１０１,４０１, ５０１, ６０１  アモルファス鉄心
１０２,３０２,４０２, ５０２, ６０２  コイル
１０３  上締金具
１０４  下締金具
１０５  コイル押え金具
１０６,４０６,５０６,６０６  コイル間部材
１０６ａ,６０６ａ  位置決め突部
１０７, ４１１,５１１,６１１  位置決め部材
１０７ａ,４１１ａ,５１１ａ,６１１ａ  位置決め溝部（位置決め部）
１１０  固定枠金具
３０６  湾曲部
３０８  内側コイル
３０９  外側コイル
３１０  矩形ボビン
３１１  スペーサ
【図１】
0005969755.tif 000002
【図２】
0005969755.tif 000003
【図３】
0005969755.tif 000004
【図４】
0005969755.tif 000005
【図５】
0005969755.tif 000006
【図６】
0005969755.tif 000007
【図７】
0005969755.tif 000008
【図８】
0005969755.tif 000009
【図９】
0005969755.tif 000010